(57)【特許請求の範囲】
【請求項１】
略箱形状の本体ケースと、
前記本体ケース内に配置された第１のファンと第２のファンと、
前記本体ケースの下面に設けた第１の本体吹出口と第１と第２の本体吸込口と、
前記本体ケースの側面に設けた第２の本体吹出口と、
前記第１の本体吸込口に設けた空気清浄手段とを有し、
前記第１のファンは、
第１のケーシング部と、
前記第１のケーシング部に固定された第１のモータと、
前記第１のモータによって駆動する第１の羽根とからなり、
第１のケーシング部は、
第１のファン吸込口が設けられた第１の吸込側壁と、
前記第１の吸込側壁と対向し第１のモータを設けた第１のモータ側壁と、
前記第１の吸込側壁と前記第１のモータ側壁との間の周囲を囲む第１の外周壁と、
前記第１の吸込側壁と前記第１のモータ側壁と前記第１の外周壁とで囲まれる第１のファン吹出口とからなり、
前記第２のファンは、
第２のケーシング部と、
前記第２のケーシング部に固定された第２のモータと、
前記第２のモータによって駆動する第２の羽根とからなり、
第２のケーシング部は、
第２のファン吸込口が設けられた第２の吸込側壁と、
前記第２の吸込側壁と対向し第１のモータを設けた第２のモータ側壁と、
前記第２の吸込側壁と前記第２のモータ側壁との間の周囲を囲む第２の外周壁と、
前記第２の吸込側壁と前記第２のモータ側壁と前記第２の外周壁とで囲まれる第２のファン吹出口とからなり、
前記第１のファン吸込口は、前記第１の本体吸込口と連通し、
前記第１のファン吹出口は、前記第１の本体吹出口と連通し、
前記第２のファン吸込口は、前記第２の本体吸込口と連通し、
前記第２のファン吹出口は、前記第２の本体吹出口と連通し、
前記第１の羽根と前記第２の羽根とは、前記本体ケースの下方から見ると隣り合うように設けられ、
前記第１のファンの前記第１のモータ側壁と、前記第１のファンの前記第１の外周壁と、前記第２のファンの前記第２のモータ側壁と、前記第２のファンの前記第２の外周壁とを一体で形成し、
前記第１のモータ側壁と前記第２のモータ側壁とが前記本体ケースの天面の一部であり、前記本体ケースの天面から、前記第１の外周壁と前記第２の外周壁が下方に延び、前記第１の外周壁と前記第２の外周壁の端部は、前記本体ケースの側面に連結していることを特徴とする空気清浄装置。
【請求項２】
前記第１のファンの前記第１のモータ側壁と、前記第１のファンの前記第１の外周壁と、前記第２のファンの前記第２のモータ側壁と、前記第２のファンの前記第２の外周壁と、前記本体ケースとを一体で形成したことを特徴とする請求項１に記載の空気清浄装置。
【請求項３】
前記第１のファンの前記第１の吸込側壁と前記第２のファンの前記第２の吸込側壁とを一体で形成したことを特徴とする１または２に記載の空気清浄装置。
【請求項４】
前記第２のファンの前記第２の吸込側壁は、前記第１のファンの前記第１の吸込側壁より上方に設けられ、前記第１の吸込側壁と前記第２の吸込側壁とは、垂直面を有する連結壁によって連結されていることを特徴とする請求項３に記載の空気清浄装置。
【発明の詳細な説明】
【技術分野】
【０００１】
本発明は、例えば天井取り付けされる換気機能を備えた空気清浄装置に関するものである。
【背景技術】
【０００２】
従来のこの種空気清浄装置の構成は、下記のようなものとなっていた。
【０００３】
すなわち、第１と第２の本体吸込口と第１と第２の本体吹出口を有する箱形状の本体ケースと、この本体ケース内に配置された第１のファンと第２のファンと、前記第１の本体吸込口に設けた空気清浄手段とからなり、前記第１のファンは、第１のケーシング部と、この第１のケーシング部内に配置された第１の羽根と、この第１の羽根を駆動する第１のモータとを有し、前記第２のファンは、第２のケーシング部と、この第２のケーシング部内に配置された第２の羽根と、この第２の羽根を駆動する第２のモータとを有し、前記第１のケーシング部は、前記第１の本体吸込口に連通させた第１のファン吸込口と、前記第１の本体吹出口に連通させた第１のファン吹出口とを有し、前記第２のケーシング部は、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記第１の羽根と前記第２の羽根とは、前記本体ケースの上下方向に並べて設けた構成としていた（例えば特許文献１参照）。
【先行技術文献】
【特許文献】
【０００４】
【特許文献１】特開２００６−９７９９８号公報
【発明の概要】
【発明が解決しようとする課題】
【０００５】
上記従来例で課題となるのは、本体ケースの高さが高くなるということであった。
【０００６】
すなわち、上記従来例における空気清浄装置は、第１の羽根と第２の羽根とは、本体の上下方向に並べて設けた構成となり、本体の高さが高くなるものである。この種の空気清浄装置は、天井裏に設置されるので、天井裏の高さ寸法によって、本体の高さが制限されるものである。近年は、天井裏の高さが低い建物もあり、本体の高さの低いものが求められる場合がある。
【０００７】
そこで本発明は、本体の高さを低くすることを目的とするものである。
【課題を解決するための手段】
【０００８】
そして、この目的を達成するために本発明は、略箱形状の本体ケースと、前記本体ケース内に配置された第１のファンと第２のファンと、前記本体ケースの下面に設けた第１の本体吹出口と第１と第２の本体吸込口と、前記本体ケースの側面に設けた第２の本体吹出口と、前記第１の本体吸込口に設けた空気清浄手段とを有し、前記第１のファンは、第１のケーシング部と、前記第１のケーシング部に固定された第１のモータと、前記第１のモータによって駆動する第１の羽根とからなり、第１のケーシング部は、第１のファン吸込口が設けられた第１の吸込側壁と、前記第１の吸込側壁と対向し第１のモータを設けた第１のモータ側壁と、前記第１の吸込側壁と前記第１のモータ側壁との間の周囲を囲む第１の外周壁と、前記第１の吸込側壁と前記第１のモータ側壁と前記第１の外周壁とで囲まれる第１のファン吹出口とからなり、前記第２のファンは、第２のケーシング部と、前記第２のケーシング部に固定された第２のモータと、前記第２のモータによって駆動する第２の羽根とからなり、第２のケーシング部は、第２のファン吸込口が設けられた第２の吸込側壁と、前記第２の吸込側壁と対向し第１のモータを設けた第２のモータ側壁と、前記第２の吸込側壁と前記第２のモータ側壁との間の周囲を囲む第２の外周壁と、前記第２の吸込側壁と前記第２のモータ側壁と前記第２の外周壁とで囲まれる第２のファン吹出口とからなり、前記第１のファン吸込口は、前記第１の本体吸込口と連通し、前記第１のファン吹出口は、前記第１の本体吹出口と連通し、前記第２のファン吸込口は、前記第２の本体吸込口と連通し、前記第２のファン吹出口は、前記第２の本体吹出口と連通し、前記第１の羽根と前記第２の羽根とは、前記本体ケースの下方から見ると隣り合うように設けられ、前記第１のファンの前記第１のモータ側壁と、前記第１のファンの前記第１の外周壁と、前記第２のファンの前記第２のモータ側壁と、前記第２のファンの前記第２の外周壁とを一体で形成し、前記第１のモータ側壁と前記第２のモータ側壁とが前記本体ケースの天面の一部であり、前記本体ケースの天面から、前記第１の外周壁と前記第２の外周壁が下方に延び、前記第１の外周壁と前記第２の外周壁の端部は、前記本体ケースの側面に連結しているたことを特徴とし、これにより初期の目的を達成するものである。
【発明の効果】
【０００９】
以上のように、本発明は、略箱形状の本体ケースと、前記本体ケース内に配置された第１のファンと第２のファンと、前記本体ケースの下面に設けた第１の本体吹出口と第１と第２の本体吸込口と、前記本体ケースの側面に設けた第２の本体吹出口と、前記第１の本体吸込口に設けた空気清浄手段とを有し、前記第１のファンは、第１のケーシング部と、前記第１のケーシング部に固定された第１のモータと、前記第１のモータによって駆動する第１の羽根とからなり、第１のケーシング部は、第１のファン吸込口が設けられた第１の吸込側壁と、前記第１の吸込側壁と対向し第１のモータを設けた第１のモータ側壁と、前記第１の吸込側壁と前記第１のモータ側壁との間の周囲を囲む第１の外周壁と、前記第１の吸込側壁と前記第１のモータ側壁と前記第１の外周壁とで囲まれる第１のファン吹出口とからなり、前記第２のファンは、第２のケーシング部と、前記第２のケーシング部に固定された第２のモータと、前記第２のモータによって駆動する第２の羽根とからなり、第２のケーシング部は、第２のファン吸込口が設けられた第２の吸込側壁と、前記第２の吸込側壁と対向し第１のモータを設けた第２のモータ側壁と、前記第２の吸込側壁と前記第２のモータ側壁との間の周囲を囲む第２の外周壁と、前記第２の吸込側壁と前記第２のモータ側壁と前記第２の外周壁とで囲まれる第２のファン吹出口とからなり、前記第１のファン吸込口は、前記第１の本体吸込口と連通し、前記第１のファン吹出口は、前記第１の本体吹出口と連通し、前記第２のファン吸込口は、前記第２の本体吸込口と連通し、前記第２のファン吹出口は、前記第２の本体吹出口と連通し、前記第１の羽根と前記第２の羽根とは、前記本体ケースの下方から見ると隣り合うように設けられ、前記第１のファンの前記第１のモータ側壁と、前記第１のファンの前記第１の外周壁と、前記第２のファンの前記第２のモータ側壁と、前記第２のファンの前記第２の外周壁とを一体で形成し、前記第１のモータ側壁と前記第２のモータ側壁とが前記本体ケースの天面の一部であり、前記本体ケースの天面から、前記第１の外周壁と前記第２の外周壁が下方に延び、前記第１の外周壁と前記第２の外周壁の端部は、前記本体ケースの側面に連結していることを特徴としたので、本体の高さを低くすることができ、本体ケースの天面の強度が向上する。
【００１０】
すなわち本発明においては、第１の羽根と第２の羽根とは、本体ケースの下方から見ると隣り合うように設けたので、本体の高さを低くすることができ、本体ケースの天面の強度が向上するものである。
【図面の簡単な説明】
【００１１】
【図１】本発明の実施の形態の空気清浄装置の設置状態を示す図
【図２】同空気清浄装置の展開図
【図３】同空気清浄装置の内部を示す図
【図４】同空気清浄装置の展開図
【発明を実施するための形態】
【００１２】
以下、本発明の実施の形態について、図１〜図４を参照しながら説明する。
【００１３】
（実施の形態１）
図１は、実施の形態の空気清浄装置の設置状態を示す図である。図２は、実施の形態の空気清浄装置の展開図である。図２は、本体ケースにおける斜め下方から見た状態で、ルーバと、空気清浄手段とを外した展開図である。
【００１４】
図１、図２に示すように、天井埋込形で、換気機能を備えた空気清浄装置に係るものである。
【００１５】
空気清浄装置は、略箱形状の本体ケース１の下方に、ルーバ２を設け、本体ケース１内には、空気清浄手段５と、後述する第１のファン３と、第２のファン４とを有している。
【００１６】
空気清浄装置は、天井６裏に挿入設置される。本体ケース１は、上下方向の厚みが小さい、下面が開口した略箱形状で、水平断面形状は、四角形である。
【００１７】
本体ケース１の他方側の側面には、第２の本体吹出口１２を有している。この第２の本体吹出口１２は、屋外と連通するダクト１３に連結される。
【００１８】
本体ケース１の下面の開口には、この開口を塞ぐように装着されるケース下面カバー３２を備えている。このケース下面カバー３２は、本体ケース１における一方側の下面には、第１の本体吸込口９と第２の本体吸込口１０を有し、本体ケース１における他方側の下面には、第１の本体吹出口１１を備えている。
【００１９】
図３は、実施の形態の空気清浄装置の内部を示す図である。図３は、本体ケースにおける下方から見た状態である。図４は、実施の形態の空気清浄装置の展開図である。図４は、本体ケース１における下方から見た状態で、ルーバ２と、空気清浄手段５とを外した展開図である。図４は、本体ケース１における斜め下方から見た状態である。
【００２０】
本体ケース１の下端辺には、外方へ伸びるフランジ部７を備えている。本体ケース１は、天井６に開けられた正方形の孔６Ａに挿入され、このフランジ部７が、天井６に固定される。フランジ部７は、ケース下面カバー３２によって覆われる。
【００２１】
第１のファン３は、第１のケーシング部１４と、この第１のケーシング部１４内に配置された第１の羽根１５と、この第１の羽根１５を駆動する第１のモータ１６とを有している。
【００２２】
第１のモータ１６は、第１のモータ１６の下面より下方へ伸びた第１のモータ回転軸１７を備えている。この第１のモータ回転軸１７に、第１の羽根１５が固定されている。この第１の羽根１５の１例は、シロッコファンである。
【００２３】
第１のケーシング部１４は、下面には、第１のファン吸込口１８が設けられた第１の吸込側壁１４Ａを有する。この第１の吸込側壁１４Ａと対向し、上面には、第１のモータ１６を設けた第１のモータ側壁１４Ｂを備えている。第１の吸込側壁１４Ａと第１のモータ側壁１４Ｂとの間には、第１の外周壁１４Ｃを設けている。この第１の外周壁１４Ｃは、第１の吸込側壁１４Ａと第１のモータ側壁１４Ｂとの間の周囲を囲む。第１の吸込側壁１４Ａと第１のモータ側壁１４Ｂと第１の外周壁１４Ｃとで囲まれる開口が、第１のファン吹出口１９である。
【００２４】
第１の外周壁１４Ｃは、図３に示すようにその舌部２０から、この舌部２０に対向する舌部対向位置２１まで、第１の羽根１５の回転方向に、この第１の羽根１５との間隔が徐々に広がる形状としている。この舌部２０と舌部対向位置２１から第１のファン吹出口１９までの間の第１のケーシング部１４は、この舌部２０と舌部対向位置２１間との間隔よりも徐々に大きくなる壁面を有している。
【００２５】
第１のファン吸込口１８は、第１の本体吸込口９と連通し、第１のファン吹出口１９は、第１の本体吹出口１１と連通している。第１の本体吸込口９の上方には、第１のファン吸込口１８を設け、第１の本体吹出口１１の上方には、第１のファン吹出口１９を備えている。この第１の本体吸込口９には、空気清浄手段５を設けている。空気清浄手段５の１例は、集塵ファイルターである。
【００２６】
第１のモータ１６によって、第１の羽根１５を駆動すると、室内の空気が、第１の本体吸込口９に設けられた空気清浄手段５から本体ケース１内に吸い込まれる。この吸い込まれた空気は、第１のファン吸込口１８から第１のケーシング部１４内に入り、第１のファン吹出口１９を介して、第１の本体吸込口９から室内へ送風される。すなわち、室内の空気を空気清浄手段５を介して、循環送風するものである。
【００２７】
第２のファン４は、第２のケーシング部２２と、この第２のケーシング部２２内に配置された第２の羽根２３と、この第２の羽根２３を駆動する第２のモータ２４とを有している。
【００２８】
第２のモータ２４は、第２のモータ２４の下面より下方へ伸びた第２のモータ回転軸２５を備えている。この第２のモータ回転軸２５に、第２の羽根２３が固定されている。この第２の羽根２３の１例は、シロッコファンである。
【００２９】
第２のケーシング部２２は、下面には、第２のファン吸込口２６が設けられた第２の吸込側壁２２Ａを有する。この第２の吸込側壁２２Ａと対向し、上面には、第２のモータ２４を設けた第２のモータ側壁２２Ｂを備えている。第２の吸込側壁２２Ａと第２のモータ側壁２２Ｂとの間には、第２の外周壁２２Ｃを設けている。この第２の外周壁２２Ｃは、第２の吸込側壁２２Ａと第２のモータ側壁２２Ｂとの間の周囲を囲む。第２の吸込側壁２２Ａと第２のモータ側壁２２Ｂと第２の外周壁２２Ｃとで囲まれる開口が、第２のファン吹出口２７である。
【００３０】
第２の外周壁２２Ｃは、図３に示すようにその舌部２８から、この舌部２８に対向する舌部対向位置２９まで、第２の羽根２３の回転方向に、この第２の羽根２３との間隔が徐々に広がる形状としている。この舌部２８と舌部対向位置２１から第２のファン吹出口２７までの間の第２のケーシング部は、この舌部２８と舌部対向位置２９間との間隔よりも徐々に大きくなる壁面を有している。
【００３１】
第２のケーシング部２２は、第２のファン吸込口２６と第２のファン吹出口２７とを有している。第２のファン吸込口２６は、第２の本体吸込口１０と連通し、第２のファン吹出口２７は、第２の本体吹出口１２と連通している。第２のファン吸込口２６は、本体ケース１の他方側に設けられている。
【００３２】
第２のモータ２４によって、第２の羽根２３を駆動すると、室内の空気が、第２の本体吸込口１０から本体ケース１内に吸い込まれる。この吸い込まれた空気は、第２のファン吸込口２６から第２のケーシング部２２内に入り、第２のファン吹出口２７を介して、第２の本体吸込口１０から屋外と連通するダクト１３へ送風される。すなわち、室内の空気を屋外へ換気送風するものである。
【００３３】
本実施形態の特徴は、第１の羽根１５と第２の羽根２３とは、本体ケース１の下方から見ると隣り合うように設けた点である。すなわち、従来のように、２つの羽根を、本体ケース１の上下方向に並べて設けた構成に比べ、本体ケース１の下方から見ると隣り合うように設ける方が、本体ケース１の高さを低くすることができるものである。
【００３４】
また、第１のファン３の第１のモータ側壁１４Ｂと、第１のファン３の第１の外周壁１４Ｃと、第２のファン４の第２のモータ側壁２２Ｂと、第２のファン４の第２の外周壁２２Ｃとを一体で形成している。
【００３５】
これにより、部品点数を低減でき、組み立て性が向上する。
【００３６】
更に、第１のファン３の第１のモータ側壁１４Ｂと、第１のファン３の第１の外周壁１４Ｃと、第２のファン４の第２のモータ側壁２２Ｂと、第２のファン４の第２の外周壁２２Ｃと、本体ケース１とを一体で形成している。
【００３７】
これにより、部品点数を低減でき、組み立て性が向上する。なお、第１のファン３の第１のモータ側壁１４Ｂと、第１のファン３の第１の外周壁１４Ｃと、第２のファン４の第２のモータ側壁２２Ｂと、第２のファン４の第２の外周壁２２Ｃと、本体ケース１とを一体で形成したものを、本体ケースユニット３０と呼ぶ。
【００３８】
本体ケースユニット３０は、具体的には、本体ケースユニット３０の主に天面が、第１のモータ側壁１４Ｂと第２のモータ側壁２２Ｂとを有する構成となる。この本体ケースユニット３０の天面から、第１の外周壁１４Ｃと第２の外周壁２２Ｃが下方に延び、第１の外周壁１４Ｃと第２の外周壁２２Ｃの端部は、本体ケース１の側面に連結しているので、本体ケース１の天面の強度が向上する。これにより、本体ケースユニット３０の天面に、第１のモータ１６と第２のモータ２４で発生する振動を抑制できる。
【００３９】
また、第１のファン３の第１の吸込側壁１４Ａと、第２のファン４の第２の吸込側壁２２Ａとを一体で形成している。
【００４０】
これにより、部品点数を低減でき、組み立て性が向上する。なお、第１のファン３の第１の吸込側壁１４Ａと、第２のファン４の第２の吸込側壁２２Ａとを一体で形成したものを、吸込側壁ユニット３１と呼ぶ。
【００４１】
また、第２のファン４の第２の吸込側壁２２Ａは、第１のファンの第１の吸込側壁より上方に設けられ、第１の吸込側壁と第２の吸込側壁とは、垂直面を有する連結壁３３によって連結されている。この連結壁３３によって、吸込側壁ユニット３１の強度が向上する。
【００４２】
また、第２のファンの第２の吸込側壁は、第１のファンの第１の吸込側壁より上方に設けられ、空気清浄手段と第１のファンの第１の吸込側壁との間に空間部３４を設けている。
【００４３】
これにより、第１のモータ１６によって、第１の羽根１５を駆動すると、室内の空気が、第１の本体吸込口９に設けられた空気清浄手段５から本体ケース１内に吸い込まれる。この吸い込まれた空気は、空間部３４を介して、第１のファン吸込口１８から第１のケーシング部１４内に入る。そして、第１のファン吸込口１８の開口面積は、空気清浄手段の水平断面積より小さくても、空間部３４の水平断面積が、空気清浄手段５の水平断面積と実質的に同じであるので、空気清浄手段５から第１のファン吸込口１８へ送風され易くなる。
【００４４】
また、ケース下面カバー３２は、第１のケース下面カバー３２Ａと、第２のケース下面カバー３２Ｂとに分離可能である。
【産業上の利用可能性】
【００４５】
以上のように、本発明は、略箱形状の本体ケースと、前記本体ケース内に配置された第１のファンと第２のファンと、前記本体ケースの下面に設けた第１の本体吹出口と第１と第２の本体吸込口と、前記本体ケースの側面に設けた第２の本体吹出口と、前記第１の本体吸込口に設けた空気清浄手段とを有し、前記第１のファンは、第１のケーシング部と、前記第１のケーシング部に固定された第１のモータと、前記第１のモータによって駆動する第１の羽根とからなり、第１のケーシング部は、第１のファン吸込口が設けられた第１の吸込側壁と、前記第１の吸込側壁と対向し第１のモータを設けた第１のモータ側壁と、前記第１の吸込側壁と前記第１のモータ側壁との間の周囲を囲む第１の外周壁と、前記第１の吸込側壁と前記第１のモータ側壁と前記第１の外周壁とで囲まれる第１のファン吹出口とからなり、前記第２のファンは、第２のケーシング部と、前記第２のケーシング部に固定された第２のモータと、前記第２のモータによって駆動する第２の羽根とからなり、第２のケーシング部は、第２のファン吸込口が設けられた第２の吸込側壁と、前記第２の吸込側壁と対向し第１のモータを設けた第２のモータ側壁と、前記第２の吸込側壁と前記第２のモータ側壁との間の周囲を囲む第２の外周壁と、前記第２の吸込側壁と前記第２のモータ側壁と前記第２の外周壁とで囲まれる第２のファン吹出口とからなり、前記第１のファン吸込口は、前記第１の本体吸込口と連通し、前記第１のファン吹出口は、前記第１の本体吹出口と連通し、前記第２のファン吸込口は、前記第２の本体吸込口と連通し、前記第２のファン吹出口は、前記第２の本体吹出口と連通し、前記第１の羽根と前記第２の羽根とは、前記本体ケースの下方から見ると隣り合うように設けられ、前記第１のファンの前記第１のモータ側壁と、前記第１のファンの前記第１の外周壁と、前記第２のファンの前記第２のモータ側壁と、前記第２のファンの前記第２の外周壁とを一体で形成したことを特徴としたので、本体の高さを低くすることができる。
【００４６】
すなわち本発明においては、第１の羽根と第２の羽根とは、本体ケースの下方から見ると隣り合うように設けたので、本体の高さを低くすることができるものである。
【００４７】
このため、家庭用、業務用として、天井取り付けされる換気機能を備えた空気清浄装置に広く活用が期待されるものとなる。
【符号の説明】
【００４８】
１        本体ケース
２        ルーバ
３        第１のファン
４        第２のファン
５        空気清浄手段
６        天井
６Ａ      孔
７        フランジ部
９        第１の本体吸込口
１０      第２の本体吸込口
１１      第１の本体吹出口
１２      第２の本体吹出口
１３      ダクト
１４      第１のケーシング部
１４Ａ    第１の吸込側壁
１４Ｂ    第１のモータ側壁
１４Ｃ    第１の外周壁
１５      第１の羽根
１６      第１のモータ
１７      第１のモータ回転軸
１８      第１のファン吸込口
１９      第１のファン吹出口
２０      舌部
２１      舌部対向位置
２２      第２のケーシング部
２２Ａ    第２の吸込側壁
２２Ｂ    第２のモータ側壁
２２Ｃ    第２の外周壁
２３      第２の羽根
２４      第２のモータ
２５      第２のモータ回転軸
２６      第２のファン吸込口
２７      第２のファン吹出口
２８      舌部
２９      舌部対向位置
３０      本体ケースユニット
３１      吸込側壁ユニット
３２      ケース下面カバー
３２Ａ    第１のケース下面カバー
３２Ｂ    第２のケース下面カバー
３３      連結壁
３４      空間部
【図１】
0006390001.tif 000002
【図２】
0006390001.tif 000003
【図３】
0006390001.tif 000004
【図４】
0006390001.tif 000005